(57)【特許請求の範囲】
【請求項１】
スイッチ本体を形成する導電部材にて形成されたハウジングと、該ハウジング内面に設けた絶縁部材からなる絶縁体と、該絶縁体により前記ハウジングと電気的に絶縁状態に保持された導電部材から成るシャフトを前記ハウジングに回転自在に配設し、前記絶縁体の外周に沿設するとともに前記ハウジング内面にその一部を電気的に導通した固定接片に前記ハウジング内周部から対向部に向けて植設した梁部を設け、前記シャフトに欠所を設けるとともに該欠所を前記梁部に対向して配設し、前記シャフトの回転により前記シャフトと前記固定接片梁部が電気的に開閉することを特徴とする回転検出スイッチ。
【請求項２】
前記固定接片の梁部自由端を曲げ応力が付勢された状態で前記絶縁体に保持したことを特徴とする請求項１記載の回転検出スイッチ。
【発明の詳細な説明】
【０００１】
【発明の属する技術分野】
本発明は、折りたたみ式携帯電話など、小型機器の開閉軸部に使用される回転検出スイッチに関する。
【０００２】
【従来の技術】
従来、折りたたみ式携帯電話などの開閉検出用スイッチには、磁石とリードスイッチが組み合わせて使用されている。
【０００３】
【発明が解決しようとする課題】
従来のリードスイッチを利用した開閉検出用スイッチでは、振動や衝撃さらに、外部磁気の影響により誤って検出してしまう恐れがあった。また、磁石を使用しているため、熱に弱く、製品の軽量化にも限界があった。
本発明はこうした問題を解決し、構造が極めて簡単で、品質に優れた回転検出スイッチを提供する目的で発明されたものである。
【０００４】
【課題を解決するための手段】
本発明は上記の問題点を解決するために、スイッチ本体を形成する導電部材にて形成されたハウジングと、該ハウジング内面に設けた絶縁部材からなる絶縁体と、該絶縁体により前記ハウジングと電気的に絶縁状態に保持された導電部材から成るシャフトを前記ハウジングに回転自在に配設し、前記絶縁体の外周に沿設するとともに前記ハウジング内面にその一部を電気的に導通した固定接片に前記ハウジング内周部から対向部に向けて植設した梁部を設け、前記シャフトに欠所を設けるとともに該欠所を前記梁部に対向して配設する。
さらに、前記固定接片の梁部自由端を曲げ応力が付勢された状態で前記絶縁体に保持し、梁部自由端のバラツキを吸収するよう構成する。
【０００５】
【発明の実施の形態】
本発明は、折りたたみ式携帯電話などの携帯機器の開閉検出用スイッチとして扉ヒンジ部分に取り付けることにより、機器の省スペースと軽量化を図り、構造が極めて簡単で、振動や衝撃等品質に優れた回転検出スイッチを提供することができる。
【０００６】
【実施例】
以下、本実施例について図面を参照しながら説明する。
図１は本発明の回転検出スイッチの第１実施例を表わす正面断面図であり、図２はその外観図、さらに図３はその分解斜視図である。
【０００７】
これらの図において、一方の電極部を兼用するハウジング６が導電部材により形成され回転検出スイッチの筐体部を構成している。
このハウジング６には、絶縁体の一部として後述のシャフト１の軸を受ける絶縁部材から成るブッシュ８が収納されるとともに、もう一方の絶縁体としてのベース９がハウジング６の開口部を塞ぐ形でハウジング６の周端部をベース９に加締めて固定している。
【０００８】
鍔部４を前記ブッシュ８に当接して導電部材により形成されたシャフト１がハウジング６の縦軸として中心部に配置され、もう一方の電極部を兼用している。このシャフト１には外部突出部に回転止めのキー部となるスリ割部２と、後述の固定接片１４との対向面を構成する欠所３が形成されている。
【０００９】
そして、薄板状のバネ部材で形成された固定接片１４がその立上げ部１７をベース９の溝部（図示せず）に挿入するとともにハウジング６との接触を確実にするための切起し部１６をハウジング６の内面に当接した状態でベース９とともにスイッチ内部に配設される。この固定接片１４には、その一端を自由端とした梁部１５が形成され、前記シャフト１の欠所３と対向して開閉接触部を構成している。
【００１０】
本実施例では前述のブッシュ８とベース９を分割構成しているが、一体的に形成することが可能であり、ハウジング６とベース９の加締めについても凹凸嵌合等により組立てを簡略化することができる。
【００１１】
このように構成した回転検出スイッチは、シャフト１の欠所３の平面部と固定接片１４の梁部１５が略平行に対向配設された状態でハウジング６とシャフト１間は電気的に非導通状態であり、次にシャフト１が回転して欠所３の平面端部が固定接片１４の梁部１５下面と接触を開始する状態でハウジング６とシャフト１は導通状態となるよう作用する。
【００１２】
図４、図５及び図６はこの接触状況を説明するための平面断面図である。これらの図において、図４は携帯機器等の開閉部が閉じられている状態で、固定接片１４の梁部１５とシャフト１の可動接点部５間は非導通状態を呈している。
次に開閉部が開かれて半開きになると図５の状態で固定接片１４の梁部１５とシャフト１の欠所３端部が導通を開始しシャフト１とハウジングがオン状態となる。図６は１８０度の全開状態を表わしている。
【００１３】
導通開始角度についてはシャフト１の径と欠所３の段差寸法、及び固定接片１４の梁部１５との間隙により、使用条件に合わせて様々な検出角度を設定することが容易にできる。なお、本実施例では欠所３部の断面を略半円形状としているが、扇形や１／４円断面にしてもよい。
また、接触位置において十分なワイピングを確保することができるので、接触信頼性が高い回転検出スイッチを提供することができる。
さらにシャフト１の半円周面を可動接点部５として使用しているので、固定接片への負荷を低減してチャタリングが少なく、耐久性の良い回転検出スイッチを容易に得ることができる。
また、電極部をハウジング６とシャフト１で兼用しているので、回転体の検出に最適で極細の回転検出スイッチを構成することができるなど、多くの優れた特徴を有している。
【００１４】
本実施例ではスイッチ本体の外径の大きさは５ｍｍ程度であるが、さらに細い回転検出スイッチを構成することが可能である。
さらに、接触部を複数に分割したり、回転軸にＯリングを配設してポケットに入れた携帯機器等の汗や湿気に配慮したもの、さらに、ハウジング６に外部端子を設けるとともにシャフト１からも外部端子を導出するなど、様々な応用展開を図ることが可能であるが、本発明は以上の応用事例を排除するものではない。
【００１５】
図７は本発明の回転検出スイッチの第２実施例を表わす平面断面図である。
固定接片３４をベース２９の外周に周回させた後、梁部３５を鋭角状に曲げるとともにベース２９に平面部３３を設けて前記梁部３５の自由端を曲げ応力が付勢された状態で保持している。このように構成することにより、固定接片３４の梁部３５の曲げ寸法のバラツキ許容範囲を大きくすることができるので、加工精度を高くしなくても回転角度の検出精度が良い回転検出スイッチを容易に構成することができる。
図８及び図９は固定接片５４、７４の梁部の形状の応用展開事例である。
【００１６】
【発明の効果】
以上、詳細に説明したように、本発明によれば、次のような効果を奏することができる。
（１）スイッチ本体を形成する導電部材にて形成されたハウジングと、該ハウジング内面に設けた絶縁部材からなる絶縁体と、該絶縁体により前記ハウジングと電気的に絶縁状態に保持された導電部材から成るシャフトを前記ハウジングに回転自在に配設し、前記絶縁体の外周に沿設するとともに前記ハウジング内面にその一部を電気的に導通した固定接片に前記ハウジング内周部から対向部に向けて植設した梁部を設け、前記シャフトに欠所を設けるとともに該欠所を前記梁部に対向して配設したので、極細の回転検出スイッチを構成することができ、携帯機器等の省スペースと軽量化を図ることができる。
（２）スイッチ本体を形成する導電部材にて形成されたハウジングと、該ハウジング内面に設けた絶縁部材からなる絶縁体と、該絶縁体により前記ハウジングと電気的に絶縁状態に保持された導電部材から成るシャフトを前記ハウジングに回転自在に配設し、前記絶縁体の外周に沿設するとともに前記ハウジング内面にその一部を電気的に導通した固定接片に前記ハウジング内周部から対向部に向けて植設した梁部を設け、前記シャフトに欠所を設けるとともに該欠所を前記梁部に対向して配設したので、組立てが容易で安価な回転検出スイッチを提供することができる。
（３）シャフトに欠所を設けるとともに該欠所を前記梁部に対向して配設したので、接触位置において十分なワイピングを確保することができ、接触信頼性の高い回転検出スイッチを提供することができる。
（４）シャフトの半円周面を可動接点部として使用しているので、固定接片への負荷を低減してチャタリングが少なく、耐久性の良い回転検出スイッチを容易に得ることができる。
（５）電極部をハウジングとシャフトで兼用しているので、回転体の検出に最適な極細の回転検出スイッチを構成することができる。
（６）固定接片の梁部自由端を曲げ応力が付勢された状態で絶縁体に保持したので、コンパクトに構成したにもかかわらず十分な接触圧力が得られ、安定した接触を維持することができる。
（７）固定接片の梁部自由端を曲げ応力が付勢された状態で絶縁体に保持したので、可動接片の曲げ寸法のバラツキを補正して高い検出回転精度を維持することができる。
【図面の簡単な説明】
【図１】本発明の回転検出スイッチの第１実施例を表わす正面断面図である。
【図２】本発明の回転検出スイッチの第１実施例を表わす外観図である。
【図３】本発明の回転検出スイッチの第１実施例を表わす分解斜視図である。
【図４】本発明の回転検出スイッチの第１実施例のオフ状態を表わす平面断面図である。
【図５】本発明の回転検出スイッチの第１実施例の接触開始状態を表わす平面断面図である。
【図６】本発明の回転検出スイッチの第１実施例のオン状態を表わす平面断面図である。
【図７】本発明の回転検出スイッチの第２実施例を表わす平面断面図である。
【図８】本発明の回転検出スイッチの応用事例を表わす正面断面図である。
【図９】本発明の回転検出スイッチの他の応用事例を表わす正面断面図である。
【符号の説明】
１    シャフト
２    スリ割部
３、２３    欠所
４    鍔部
５、２５    可動接点部
６、２６    ハウジング
７    切欠き部
８    ブッシュ
９、２９    ベース
１０    凸部
１１    回転止め部
１２、１３、３２、３３    平面部
１４、３４、５４、７４    固定接片
１５、３５    梁部
１６    切起し部
１７、３７    立上げ部
【図１】
0004274647.tif 000002
【図２】
0004274647.tif 000003
【図３】
0004274647.tif 000004
【図４】
0004274647.tif 000005
【図５】
0004274647.tif 000006
【図６】
0004274647.tif 000007
【図７】
0004274647.tif 000008
【図８】
0004274647.tif 000009
【図９】
0004274647.tif 000010